(57)【要約】      （修正有）【課題】  軽量で取り扱いが容易で、しかも折りたたまれた雑巾が電動モーターによる往復運動で頑固な汚れも容易に拭き取り、さらに磨きも同時に一体化して行い身体への負担を軽くし、且つ経済的にも効果が期待できる拭き磨きができる掃除機。【解決手段】  掃除機本体は家庭用電源あるいは予備電源バッテリに接続された電源モーターと、これに固定したカムと、このカムの回転を水平移動するアームと、このアームの動きを下部に折りたたまれた雑巾を支持する固定具に連結され筺体に納められ構成し、該筺体にはハンドルが設けられ、手元スイッチで上記動きを操作し、移動出来るようにしたことを特徴とする拭き磨き掃除機。【選択図】図３
2005185844.tif 000002
【特許請求の範囲】
【請求項１】
掃除機本体は家庭用電源あるいは予備電源バッテリに接続された電動モーターと、これに固定したカムと、このカムの回転を水平移動するアームと、このアームの動きを下部に折りたたまれた雑巾を支持する固定具に連結され筺体に納められ構成し、該筺体にはハンドルが設けられ、手元スイッチで上記動きを操作し、移動出来るようにしたことを特徴とする拭き磨き掃除機。
【発明の詳細な説明】
【技術分野】
【０００１】  本発明は床、壁、窓等の汚れを拭き取り同時に磨く為の掃除機に関する。
【背景技術】
【０００２】  本発明に関連する特許技術には下記文献がある。
【特許文献１】  特開平４−１０５６３２号公報
【特許文献２】  特開平９−１１７３９７号公報
前記特許文献１の特徴は、本体内部に減速ギヤーユニットを設け、前記ギヤーユニットを介してモーターの動力をブラシ台に伝達する床磨機にあって、前記ブラシ台とギヤーユニットの嵌合部に電気接続端子を設け、前記床磨機本体から前記ブラシ台内部に設けたヒータに通電する電気床磨機である。
また、特許文献２の特徴は透明性の基板と、この基板の上に設けられ、紫外線に反応する準位エネルギーの高い物質からなる反応層と、この反応層に植設され、水分を含みうる多数の導電性モップ繊維とを備えた拭き掃除用具である。
【発明の開示】
【発明が解決しようとする課題】
【０００３】  上記特許文献１はモーターの回転をそのままブラシを回転しようとするものであって、モーターの回転で往復運動に変える考えではない。
また、特許文献２は紫外線に反応する反応層を設けた導電性モップ繊維を備えた拭き掃除用具であって、本発明が意図するような電動機（モーター）による往復運動により折りたたまれた雑巾で拭き磨きを行うようにしたものではない。
本発明は上記引用文献にない軽量で取り扱いが容易で、しかも折りたたまれた雑巾が電動モーターによる往復運動で頑固な汚れも容易に拭き取り、さらに磨きも同時に一体化して行い身体への負担を軽くし、且つ経済的にも効果が期待できる拭き磨きができる掃除機を提供しようするものである。
【課題を解決するための手段】
【０００４】  本発明は上記課題を解決するために、掃除機本体は家庭用電源あるいは予備電源バッテリに接続された電動モーターと、これに固定したカムと、このカムの回転を水平移動するアームと、このアームの動きを下部に折りたたまれた雑巾を支持する固定具に連結され筺体に納められ構成し、該筺体にはハンドルが設けられ、手元スイッチで上記動きを操作し、移動出来るようにしたことを特徴とする拭き磨き掃除機。
【発明の効果】
【０００５】  本発明は上記構成からなるので以下に示す効果が期待出来る。
１  電動モーターの往復運動で頑固に付着した汚れ等も落とす事が容易にできる。
２  家庭用電源よりバッテリに蓄電しコードレスとして移動操作を容易にした、また電源より延長コードを接続すれば直結操作もできる。
３  拭きと磨き掃除が同時に達成でき、一体化したことで、時間の短縮による作業性が向上して身体への負担を軽くする。
４  ハンドルの向き及び高さ調整が自由に出来ると共に、横方向、縦方向の操作が出来るので横方向では広い場所、縦方向では狭い場所、手の届かない場所に対応できる。
５  床だけでなくガラス戸、壁等の平坦な物であれば総ての建造物に使用できて万能である。
６  たとえば何処にもあるタオル、木綿布等を折りたたみ使用することで、裏返しを複数回繰り返す操作で、一枚の雑巾で広範囲な面積を拭き磨きすることを可能にした。
【発明を実施するための最良の形態】
【０００６】  本発明実施の形態を簡単に説明する、ハンドルの位置、上下、左右に倒して個々の身長に合わせた選択が自由に選べ、折りたたまれた雑巾が電動モーターの往復運動する事で、頑固な汚れも容易に拭き取り、また、ワックス掛け、磨き等を一体化した機能効果を発揮して、身体への負担を軽減し、時間の短縮が出来る拭き磨き掃除機を実現出来る。
【実施例１】
【０００７】  本発明の実施例を第１図乃至第７図を参照して説明する。筺体２の中には家庭用電源で回転するモーター４が固定されており、このモーター４にはアーム６を固定するカム５が止められている、アーム６の先端には移動台７が止められており、移動台７はガイドレール８に案内されて往復運動される。さらに移動台７の底面には合成ゴム等の弾力性のあるパット１６が取り付けられており、折りたたまれた雑巾１８を固定具９をもって挟持されている。尚ここで使用されるモーター４は直流でも交流でも良い、モーター４の回転は回転速度が一定ではなく、できれば変速されることが望ましい。またガイドレール８は摺動式でも転動式にしても良く、望ましくはローラーの転動式が好ましい。さらにモーター４に隣接して電気を溜めて置く事の出来る予備電源バッテリ３が設けられており、短時間の拭き磨き掃除にはコードレスとして容易に使う事が出来るように工夫されている。また、近くに家庭用電源がある場合は充電用コンセント１３に延長コードを接続して直結操作も選択出来るようにした。【０００８】  また、筺体２はＡＢＳなどのアクリル樹脂やＰＴＡなどのポリエステル樹脂などの成形し易い材料で作られて居り、本体全体の軽量化を図っている。また、ハンドル１０はアルミ合金あるいは上記記載の化学樹脂で成形されている。さらに、把手１２の近傍には配線を集結した手元スイッチ１１が設けられている。また、ハンドル１０の柄は釣り竿のように複数のつなぎ柄で作られており、把手１２は合成ゴム等で皮覆されている。さらに、ハンドル１０は筺体２の中心に位置して居り、ハンドル回転盤１４を軸として第７図に示すように、０°乃至９０°の２ヶ所に窪みを設け構成されており、２ヶ所の選択位置をストッパー１５で固定支持される。当該拭き磨き掃除機を通常の広い場所で使用する場合は、第７図に示すように選択位置を０°の横方向となるよう設定する。さらに、狭い場所で使用する場合は第７図に示すように選択位置を９０°の縦方向になるよう筺体２を固定して操作する。このようにして筺体２の向きを変えると共に把手１２の高さを、上下、左右自由に選択する。また、つなぎ柄の長さを活用して、高い所や手の届かない狭い場所等での拭き磨き掃除が出来るようにした。尚且つ、つなぎ柄の長さを利用することで足場や踏み台が不要になり、高所作業等も安全且つ容易に出来るようにした。【０００９】  さらに、折りたたまれた雑巾１８を挟持する為には、移動台７に取り付けられた固定具９によって支持される。固定具９は移動台７の両端四隅にコイルバネを装着した金具が取り付けられており、このコイルバネの押し戻す反発力により、ちょうど紙ばさみで用紙を挟むようにして止められ、雑巾１８を挟持することが出来る。且つ雑巾１８の裏返しや着脱を容易にした。【００１０】  また、パット１６は合成ゴム等の弾力性のある材質で成形加工され、移動台７に固定されており、四方向から見ても側面から見ても先端がＲ型に突出し成形されて居り、建造物、備品にあたえる衝撃を和らげ、損傷を防ぐ為の効果がある。【００１１】  さらに、パット１６の底部にはパットＵ溝１７が並列に成形加工されて居り、雑巾１８が窪みに波状型になることで、ペットの毛、埃等集塵される。且つ集まった埃等を逃さない為の効果もある。尚且つ操作中の往復運動により生じる雑巾１８のズレを防ぐ為の更なる効果もある。【００１２】  また、雑巾１８は新品、中古品を問わず一般的な普通サイズのタオルであれば長方形を三ツ折りする事が望ましい。たとえば三ツ折りの場合、表と裏を三面合わせて六面となることで、一枚のタオルで六面使うことになる。故に一枚の雑巾１８で広範囲な拭き磨き掃除が出来る。【００１３】  さらに、濡れた雑巾１８を使用する場合は頑固に固着した汚れの雑巾掛けには特に効果が得られる。また、乾いた雑巾１８の場合はこぼした水分等を多量に吸収することが出来る。尚且つ乾いた雑巾１８にワックスを付着させて操作することで、ワックス掛け、且つ磨きまでの一連の作業が一体化して同時に達成される。また、特別な専用付属品を必要とせず何処にでもあるタオル、木綿布で、充分活用できる。尚且つ雑巾１８は何回でも洗濯を繰り返して使用することが出来る。【００１４】  また、雑巾１８は操作中固定具９に折りたたまれて挟持されて居り、挟持されている部分は汚れが少なく、未使用に近い状態であり、着脱や裏返しの際の手の汚れが少なく清潔である。
【産業上の利用可能性】
【００１５】  近年建物も洋風化すると共に拡大化して、これに伴いフローリング、ビニール系、畳、絨毯、大理石等の床が多く見られる。また、窓、ガラス戸等も開放的に大きくなり、これらの品質保持、清潔な維持管理には従来の拭き掃除、特に磨きには時間と大変な重労働を強いられて居り、これらを解消すると共に特別な付属品が不要で、何処にでも有るタオル、木綿布等を雑巾として活用し、汚れたら洗うを繰り返すだけの作業である。また、室内外を問わず平坦な物総ての拭きと磨きを一体化した事で重労働から解放される。尚且つ経済的な拭き磨き掃除機である。
【図面の簡単な説明】
【００１６】
【図１】  本発明の拭き磨き掃除機の完成時の斜視図
【図２】  本体拭き磨き掃除機を上から見た平面図
【図３】  拭き磨き掃除機の実施形態を示す構成図
【図４】  は図３における内部構成のＡ−Ａ線断面図
【図５】  は図３における内部構成のＢ−Ｂ線断面図
【図６】  は図３における内部構成のＣ−Ｃ線断面図
【図７】  ハンドル回転盤の実施形態の平面図
【図８】  ハンドル回転盤の実施形態のＤ−Ｄ線断面図
【図９】  ハンドル回転盤の実施形態のＥ−Ｅ線断面図
【符号の説明】
【００１７】  １  拭き磨き掃除機
２  筺体
３  バッテリ
４  電動モーター
５  カム
６  アーム
７  移動台
８  ガイドレール
９  固定具
１０  ハンドル
１１  手元スイッチ
１２  把手
１３  充電用コンセント
１４  ハンドル回転盤
１５  ストッパー
１６  パット
１７  パットＵ溝
１８  雑巾
【図１】
2005185844.tif 000003
【図２】
2005185844.tif 000004
【図３】
2005185844.tif 000005
【図４】
2005185844.tif 000006
【図５】
2005185844.tif 000007
【図６】
2005185844.tif 000008
【図７】
2005185844.tif 000009
【図８】
2005185844.tif 000010
【図９】
2005185844.tif 000011